(57)【要約】【課題】  ２方向の基準位置を検出するのに１方向のみに統合することができる放射線撮像装置を提供することを目的とする。【解決手段】  位置変換機構５が２方向であるＸ方向およびＹ方向のうち一方の方向であるＸ方向の基準位置を他方の方向であるＹ方向の基準位置に変換する。そして、フォトセンサ５は、上述した位置変換機構５で変換されたＹ方向の基準位置を検出して、装填される各フィルムカセッテ１の大きさ（サイズ）をそれぞれ検出する。これによって、２方向の基準位置を検出するのに他方の方向であるＹ方向のみに統合することができる。【選択図】        図２
2006296629.tif 000002
【特許請求の範囲】
【請求項１】
放射線を検出し、大きさが互いに異なる複数の面状の放射線検出部がそれぞれ装填可能に構成され、その１つを装填して放射線を検出して、放射線撮像を行う放射線撮像装置であって、装填される各放射線検出部の大きさをそれぞれ検出するのに放射線検出部の面内における２方向の基準位置を検出する位置検出手段と、前記２方向のうち一方の方向の基準位置を他方の方向の基準位置に変換する位置変換手段とを備え、前記位置検出手段は、前記位置変換手段で変換された他方の方向の基準位置を検出することを特徴とする放射線撮像装置。
【発明の詳細な説明】
【技術分野】
【０００１】
この発明は、放射線を検出し、大きさが互いに異なる複数の面状の放射線検出部がそれぞれ装填可能に構成され、その１つを装填して放射線を検出して、放射線撮像を行う放射線撮像装置に係り、特に、装填される各放射線検出部の大きさをそれぞれ検出する技術に関する。
【背景技術】
【０００２】
従来、放射線撮像装置の分野に限らず、装置に装填されるべき装填物が複数存在し、各装填物の大きさが互いに異なる場合に、そのうちの１つを装填する際には、装填される各放射線検出部の大きさをそれぞれ検出する検出機構が必要になる。給紙カセットを用いた複写機を例に採って説明すると、用紙の大きさを識別する用紙種別識別部に配列が自在に変更可能な永久磁石を装着する。装填される用紙の大きさに対応して永久磁石の配列を変更して、複写機本体のカセット収容部の近傍に配設された磁気センサが永久磁石の配列パターンを検出することで、その配列に対応した用紙の大きさを検出する（例えば、特許文献１参照）。
【０００３】
放射線撮像装置の分野に戻って、Ｘ線速写撮影装置を例に採って説明するとともに、Ｘ線速写撮影装置の場合において放射線検出部に相当するフィルムカセッテの大きさ（サイズ）をそれぞれ検出するときの原理について、図４および図５を参照して説明する。Ｘ線速写撮影装置は、図４に示すように、Ｘ線を検出する面状のフィルムカセッテ１０１と、フィルムカセッテ１０１の２辺をそれぞれ挟む２つのホルダ１０２と、支点を中心にしてカーブＣ（図４中の１点鎖線を参照）の軌跡を描くレバー１０３と、レバー１０３に連動して各ホルダ１０２の間隔を変更するギア１０４ａ付きリンク機構１０４とを備えている。
【０００４】
フィルムカセッテ１０１を図４中の矢印の方向（Ｘ方向）に挿入すると、レバー１０３は、挿入されたフィルムカセッテ１０１に接触し、レバー１０３の先端は支点を中心にしてカーブＣの軌跡を描く。このレバー１０３に連動して一方のリンク機構１０４が動き、この一方のリンク機構１０４に連動してギア１０４ａが動く。そして、ギア１０４ａに連動して他方のリンク機構１０４が動く。これらのリンク機構１０４の駆動により各ホルダ１０２が図４中の矢印の方向（Ｙ方向）にそれぞれ動いて、各ホルダ１０２がフィルムカセッテ１０１の２辺をそれぞれ挟んで装填を完了する。
【０００５】
また、一方のホルダ１０２に永久磁石１０５を配設するとともに、レバー１０３の先端に永久磁石１０６を配設する。ホルダ１０２に配設された永久磁石１０５の配設位置は、装填時におけるフィルムカセッテ１０１のホルダ１０２方向の周縁部に一致するとともに、レバー１０３の先端に配設された永久磁石１０６の配設位置は、装填時におけるフィルムカセッテ１０１のレバー１０３方向の周縁部に一致する。
【０００６】
なお、装填されるべきフィルムカセッテ１０１のサイズは、規格化されている。例えば、図４、図５に示すように装填方向をＸ方向、それに直交する方向、すなわち各ホルダ１０２の幅方向をＹ方向とすると、Ｘ方向×Ｙ方向のサイズで、８インチ×１０インチ、１０インチ×８インチ、１０インチ×１２インチ、１２インチ×１０インチ、１１インチ×１４インチ、１４インチ×１１インチ、１４インチ×１４インチのパターンで規格化されている（図５ではインチを「in」で表している）。なお、図５に示すようにＹ方向は最大１７インチまで拡張することができる。
【０００７】
したがって、装填時における各サイズのフィルムカセッテ１０１の各周縁部を基準位置とすると、その基準位置をそれぞれ検出することで、装填されるフィルムカセッテ１０１のサイズを検出することができる。具体的には、上述した永久磁石１０５，１０６の上面に基板（図示省略）を搭載し、この基板に複数の磁気近接スイッチからなる磁気近接スイッチ群（図示省略）を配設する。この磁気近接スイッチ群は、装填時におけるフィルムカセッテ１０１の周縁部の上面、ひいては永久磁石１０５，１０６の配設位置の上面に位置するようにそれぞれ配設されている。
【０００８】
フィルムカセッテ１０１の面内におけるＸ方向、Ｙ方向と基準位置との関連性について説明する。この場合には、レバー１０３の先端に永久磁石１０６を配設している関係で、Ｘ方向の替わりにレバー１０３が描くカーブＣ方向を採用する。このカーブＣ方向もフィルムカセッテ１０１の面内における方向で、Ｙ方向およびカーブＣ方向の２方向の基準位置、すなわちフィルムカセッテ１０１のホルダ１０２側に面した周縁部およびフィルムカセッテ１０１のレバー１０３側に面した周縁部をそれぞれ検出する。したがって、Ｙ方向の基準位置を検出するには、装填される可能性のある各フィルムカセッテ１０１のホルダ１０２側に面した周縁部の上面に、磁気近接スイッチ群をそれぞれ配設する（図５中の『○』を参照）。カーブＣ方向の基準位置を検出するには、装填される可能性のある各フィルムカセッテ１０１のレバー１０３側に面した周縁部の上面に、磁気近接スイッチ群をそれぞれ配設する（図５中の『◎』を参照）。
【０００９】
フィルムカセッテ１０１が装填されると、Ｙ方向の基準位置を検出する場合には、図５中の『○』のいずれかにフィルムカセッテ１０１のホルダ１０２側に面した周縁部が一致するとともに、ホルダ１０２に配設された永久磁石１０５の配設位置が一致する。磁気近接スイッチ群の１つの磁気近接スイッチが配設位置の一致した永久磁石１０５を検出することで、Ｙ方向の基準位置を検出する。カーブＣ方向の基準位置を検出する場合には、図５中の『◎』のいずれかにフィルムカセッテ１０１のレバー１０３側に面した周縁部が一致するとともに、レバー１０３の先端に配設された永久磁石１０６の配設位置が一致する。磁気近接スイッチ群の１つの磁気近接スイッチが配設位置の一致した永久磁石１０６を検出することで、カーブＣ方向の基準位置を検出する。
【特許文献１】特開平０５−１７０４６号公報（第２−４頁、図１−８）
【発明の開示】
【発明が解決しようとする課題】
【００１０】
しかしながら、このようなに２方向（Ｙ方向・カーブＣ方向）の基準位置を検出するのに、２方向の磁気近接スイッチが必要で、さらに各磁気近接スイッチからの２方向の検出信号が必要である。
【００１１】
この発明は、このような事情に鑑みてなされたものであって、２方向の基準位置を検出するのに１方向のみに統合することができる放射線撮像装置を提供することを目的とする。
【課題を解決するための手段】
【００１２】
この発明は、このような目的を達成するために、次のような構成をとる。
すなわち、請求項１に記載の発明は、放射線を検出し、大きさが互いに異なる複数の面状の放射線検出部がそれぞれ装填可能に構成され、その１つを装填して放射線を検出して、放射線撮像を行う放射線撮像装置であって、装填される各放射線検出部の大きさをそれぞれ検出するのに放射線検出部の面内における２方向の基準位置を検出する位置検出手段と、前記２方向のうち一方の方向の基準位置を他方の方向の基準位置に変換する位置変換手段とを備え、前記位置検出手段は、前記位置変換手段で変換された他方の方向の基準位置を検出することを特徴とするものである。
【００１３】
［作用・効果］請求項１に記載の発明によれば、位置検出手段が２方向の基準位置を検出することで、装填される各放射線検出部の大きさをそれぞれ検出する。具体的には、位置変換手段が上述した２方向のうち一方の方向の基準位置を他方の方向の基準位置に変換する。そして、上述した位置検出手段は、上述した位置変換手段で変換された他方の方向の基準位置を検出する。これによって、２方向の基準位置を検出するのに他方の方向である１方向のみに統合することができる。
【発明の効果】
【００１４】
この発明に係る放射線撮像装置によれば、位置変換手段が２方向のうち一方の方向の基準位置を他方の方向の基準位置に変換する。そして、位置検出手段は、上述した位置変換手段で変換された他方の方向の基準位置を検出して、装填される各放射線検出部の大きさをそれぞれ検出する。これによって、２方向の基準位置を検出するのに他方の方向である１方向のみに統合することができる。
【実施例】
【００１５】
以下、図面を参照してこの発明の実施例を説明する。
図１は、実施例に係るＸ線速写撮影装置の概略平面図であり、図２（ａ）は、Ｘ線速写撮影装置に用いられる位置変換機構の概略平面図であり、図２（ｂ）は、位置変換機構のアクチュエータがフォトセンサを通過するときの概略断面図であり、図３は、各フォトセンサの配設位置を模式的に示した平面図である。本実施例では、放射線撮像装置として、Ｘ線速写撮影装置を例に採って説明する。
【００１６】
Ｘ線速写撮影装置は、図１に示すように、Ｘ線を検出する面状のフィルムカセッテ１と、フィルムカセッテ１の２辺をそれぞれ挟む２つのホルダ２と、自身の移動で一方のホルダ２を連動させるレバー３と、一方のホルダ２に連動して他方のホルダ２を動かして各ホルダ２の間隔を変更するギア４ａ付き変更機構４とを備えている。フィルムカセッテ１は、この発明における放射線検出部に相当する。
【００１７】
フィルムカセッテ１を図１中の矢印の方向（Ｘ方向）に挿入すると、レバー３は、挿入されたフィルムカセッテ１に接触し、フィルムカセッテ１の挿入に連動してレバー３が動く。このレバー３に連動して一方のホルダ２が動き、この一方のホルダ２に連動して一方の変更機構４が動き、この一方の変更機構４に連動してギア４ａが動く。そして、ギア４ａに連動して他方の変更機構４が動く。これらの変更機構４の駆動により各ホルダ２が図１中の矢印の方向（Ｙ方向）にそれぞれ動いて、各ホルダ２がフィルムカセッテ１の２辺をそれぞれ挟んで装填を完了する。
【００１８】
他方のホルダ２には、位置変換機構５を配設している。位置変換機構５は、図２（ａ）に示すように、フィルムカセッテ１の装填方向に接触する接触子５１と、接触子５１に嵌合するアクチュエータ５２と、接触子用引張ばね５３と、圧縮ばね５４と、接触子５１やアクチュエータ５２や接触子用引張ばね５３や圧縮ばね５４を収納し、アクチュエータ５２を案内するアクチュエータガイド５５とを備えている。図１〜図３に示すように装填方向をＸ方向、それに直交する方向、すなわち各ホルダ２の幅方向をＹ方向とすると、フィルムカセッテ１が接触子５１に接触したときに、接触子５１はＸ方向に移動する。この接触子５１のＸ方向の移動を、接触子５１に嵌合されたアクチュエータ５２のＹ方向の移動に接触子用引張ばね５３と圧縮ばね５４との付勢によって変換する。したがって、Ｘ方向の基準位置をＹ方向の基準位置に変換することになる。位置変換機構５は、この発明における位置変換手段に相当する。
【００１９】
アクチュエータ５２の接触子５１側とは逆側の一端には、Ｙ方向に並設された複数のフォトセンサ６を備えている。本実施例では、フォトセンサ６は、投光素子６ａと受光素子６ｂとからなる透過型フォトセンサで構成されており、図２（ｂ）に示すように、投光素子６ａと受光素子６ｂとの間にアクチュエータ５２の一端が通過するように配設されている。したがって、アクチュエータ５２の一端が通過しないときには、投光素子６ａからの光を受光素子６ｂが検出するので、受光素子６ｂが検出したときにはアクチュエータ５２が通過していないと判断する。逆に、アクチュエータ５２の一端が通過したときには、投光素子６ａからの光がアクチュエータ５２によって遮られるので受光素子６ｂが検出せずに、受光素子６ｂが検出しないときにはアクチュエータ５２が通過したと判断する。なお、本実施例では、フォトセンサ６を透過型フォトセンサで構成したが、アクチュエータ５２やフォトセンサの配設箇所などに応じて反射型フォトセンサで構成してもよい。フォトセンサ６は、この発明における位置検出手段に相当する。
【００２０】
従来例でも述べたように、装填されるべきフィルムカセッテ１の大きさ（サイズ）は、例えば、Ｘ方向×Ｙ方向のサイズで、８インチ×１０インチ、１０インチ×８インチ、１０インチ×１２インチ、１２インチ×１０インチ、１１インチ×１４インチ、１４インチ×１１インチ、１４インチ×１４インチのパターンで規格化されている（図３ではインチを「in」で表している）。このうち、１０インチ×８インチ、１０インチ×１２インチ、１４インチ×１１インチの３つのパターンについてはＹ方向の長さは互いに異なり、Ｙ方向で同じ長さの組み合わせは存在しない。したがって、Ｙ方向の長さのみをフォトセンサ６で検出すれば、３つのパターンをそれぞれ検出することができる。
【００２１】
一方、８インチ×１０インチ、１２インチ×１０インチの２つのパターンや、１１インチ×１４インチ、１４インチ×１４インチの２つのパターンについてはＹ方向の長さが同じであり、８インチ×１０インチ、１２インチ×１０インチの２つのパターンがＹ方向で同じ１０インチの長さの組み合わせとなり、１１インチ×１４インチ、１４インチ×１４インチの２つのパターンがＹ方向で同じ１４インチの長さの組み合わせとなる。したがって、Ｙ方向の長さのみをフォトセンサ６で検出したとしても、Ｘ方向の基準位置が必要になる。そこで、上述した位置変換機構５によってＸ方向の基準位置をＹ方向の基準位置に変換してＹ方向のみに統合する。
【００２２】
本実施例では、装填時におけるフィルムカセッテ１の各周縁部を基準位置とすると、その基準位置をそれぞれ検出することで、装填されるフィルムカセッテ１のサイズを検出する。Ｙ方向の基準位置について説明すると、Ｙ方向について、装填時にフィルムカセッテ１のホルダ２側に面した周縁部に、位置変換機構５のアクチュエータ５２が位置するように配設する。そして、そのアクチュエータ５２を挟み込む位置にフォトセンサ６をそれぞれ配設する（図３中の『○』を参照）。Ｘ方向の基準位置については後述する。
【００２３】
Ｙ方向の長さが互いに異なり、Ｙ方向で同じ長さの組み合わせが存在しない１０インチ×８インチ、１０インチ×１２インチ、１４インチ×１１インチの３つのパターンについて説明する。この３つのパターンの場合には、フィルムカセッテ１のホルダ２側に面した周縁部のみを検出する。
【００２４】
例えば、１０インチ×８インチのサイズのフィルムカセッテ１を装填する場合には、フィルムカセッテ１が装填されると、図３中の「○」で、かつ８インチを示すフォトセンサ６に、Ｙ方向について、フィルムカセッテ１のホルダ２側に面した周縁部が一致して、そのフォトセンサ６がアクチュエータ５２の通過を検出する。このＹ方向で８インチの長さのみをフォトセンサ６で検出すれば、１０インチ×８インチのパターンを検出することができる。
【００２５】
例えば、１０インチ×１２インチのサイズのフィルムカセッテ１を装填する場合には、フィルムカセッテ１が装填されると、図３中の「○」で、かつ１２インチを示すフォトセンサ６に、Ｙ方向について、フィルムカセッテ１のホルダ２側に面した周縁部が一致して、そのフォトセンサ６がアクチュエータ５２の通過を検出する。このＹ方向で１２インチの長さのみをフォトセンサ６で検出すれば、１０インチ×１２インチのパターンを検出することができる。
【００２６】
例えば、１４インチ×１１インチのサイズのフィルムカセッテ１を装填する場合には、フィルムカセッテ１が装填されると、図３中の「○」で、かつ１１インチを示すフォトセンサ６に、Ｙ方向について、フィルムカセッテ１のホルダ２側に面した周縁部が一致して、そのフォトセンサ６がアクチュエータ５２の通過を検出する。このＹ方向で１１インチの長さのみをフォトセンサ６で検出すれば、１４インチ×１１インチのパターンを検出することができる。
【００２７】
Ｘ方向の基準位置については、フィルムカセッテ１の接触子５１側の周縁部をＸ方向の基準位置とし、上述した位置変換機構５によってＹ方向の基準位置に変換して、変換後の基準位置をアクチュエータ５２のフォトセンサ６側の一端にする。このとき、図３中の「○」で割り振られた、Ｙ方向の基準位置を示す「８インチ」、「１０インチ」、「１１インチ」、「１２インチ」、「１４インチ」には、フォトセンサ６が配設されている。この図３中の「○」で示したフォトセンサ６は上述したＹ方向のみの基準位置を検出するものである。Ｘ方向から変換された基準位置については、図３中の「○」以外の箇所にフォトセンサ６を配設する（図３中の『◎』を参照）。
【００２８】
Ｙ方向で同じ１０インチの長さの組み合わせとなる８インチ×１０インチ、１２インチ×１０インチの２つのパターンについて説明するとともに、Ｙ方向で同じ１４インチの長さの組み合わせとなる１１インチ×１４インチ、１４インチ×１４インチの２つのパターンについて説明する。これらのパターンの場合には、フィルムカセッテ１のホルダ２側に面した周縁部、およびフィルムカセッテ１の接触子５１側の周縁部をそれぞれ検出する。
【００２９】
例えば、８インチ×１０インチのサイズのフィルムカセッテ１を装填する場合には、フィルムカセッテ１が装填されると、図３中の「○」で、かつ１０インチを示すフォトセンサ６に、Ｙ方向について、フィルムカセッテ１のホルダ２側に面した周縁部が一致して、そのフォトセンサ６がアクチュエータ５２の通過を検出する。８インチ×１０インチの場合には、Ｘ方向の長さが８インチである。このＸ方向の長さが８インチのときには接触子５１にフィルムカセッテ１が接触しないとした場合、接触子５１が動かないのでアクチュエータ５２も固定の状態である。
【００３０】
一方、１２インチ×１０インチのサイズのフィルムカセッテ１を装填する場合には、フィルムカセッテ１が装填されると、図３中の「○」で、かつ１０インチを示すフォトセンサ５に、Ｙ方向について、フィルムカセッテ１のホルダ２側に面した周縁部が一致して、そのフォトセンサ６がアクチュエータ５２の通過を検出する。ここまでは、８インチ×１０インチのサイズのフィルムカセッテ１と同じである。１２インチ×１０インチの場合には、Ｘ方向の長さが１２インチで、８インチ×１０インチにおけるＸ方向の長さ８インチよりも長い。この８インチから１２インチへのＸ方向の移動中に接触子５１にフィルムカセッテ１が接触したとした場合、フィルムカセッテ１のＸ方向の移動に連動して接触子５１がＸ方向に動き、接触子用引張ばね５３と圧縮ばね５４とによってアクチュエータ５２がＹ方向に動く。そして、そのアクチュエータ５２が、図３中の「○」で、かつ１０インチを示すフォトセンサ６から、図３中の『◎』で、かつ９インチを示すフォトセンサ６へ移動する。
【００３１】
このように、８インチ×１０インチの場合には、アクチュエータ５２が、Ｙ方向で図３中の「○」で、かつ１０インチを示すフォトセンサ６の位置から移動しない場合を、８インチ×１０インチのパターンと定義すれば、Ｙ方向で１０インチの長さのみをフォトセンサ６で検出すれば、１０インチ×８インチのパターンを検出することができる。一方、１２インチ×１０インチの場合には、アクチュエータ５２が、Ｙ方向で図３中の「○」で、かつ１０インチを示すフォトセンサ６から、図３中の『◎』で、かつ９インチを示すフォトセンサ６へ移動した場合を、１２インチ×１０インチのパターンと定義すれば、Ｙ方向で１０インチの長さをフォトセンサ６で検出した後に、Ｙ方向で９インチの長さをフォトセンサ６で検出すれば、１２インチ×１０インチのパターンを検出することができる。
【００３２】
また、例えば、１１インチ×１４インチのサイズのフィルムカセッテ１を装填する場合には、フィルムカセッテ１が装填されると、図３中の「○」で、かつ１４インチを示すフォトセンサ６に、Ｙ方向について、フィルムカセッテ１のホルダ２側に面した周縁部が一致して、そのフォトセンサ６がアクチュエータ５２の通過を検出する。１１インチ×１４インチの場合には、Ｘ方向の長さが１１インチである。このＸ方向の長さが１１インチのときには接触子５１にフィルムカセッテ１が接触しないとした場合、接触子５１が動かないのでアクチュエータ５２も固定の状態である。
【００３３】
一方、１４インチ×１４インチのサイズのフィルムカセッテ１を装填する場合には、フィルムカセッテ１が装填されると、図３中の「○」で、かつ１４インチを示すフォトセンサ６に、Ｙ方向について、フィルムカセッテ１のホルダ２側に面した周縁部が一致して、そのフォトセンサ６がアクチュエータ５２の通過を検出する。ここまでは、１１インチ×１４インチのサイズのフィルムカセッテ１と同じである。１４インチ×１４インチの場合には、Ｘ方向の長さが１４インチで、１１インチ×１４インチにおけるＸ方向の長さ１１インチよりも長い。この１１インチから１４インチへのＸ方向の移動中に接触子５１にフィルムカセッテ１が接触したとした場合、フィルムカセッテ１のＸ方向の移動に連動して接触子５１がＸ方向に動き、接触子用引張ばね５３と圧縮ばね５４とによってアクチュエータ５２がＹ方向に動く。そして、そのアクチュエータ５２が、図３中の「○」で、かつ１４インチを示すフォトセンサ６から、図３中の『◎』で、かつ１３インチを示すフォトセンサ６へ移動する。
【００３４】
このように、１１インチ×１４インチの場合には、アクチュエータ５２が、Ｙ方向で図３中の「○」で、かつ１４インチを示すフォトセンサ６の位置から移動しない場合を、１１インチ×１４インチのパターンと定義すれば、Ｙ方向で１４インチの長さのみをフォトセンサ６で検出すれば、１１インチ×１４インチのパターンを検出することができる。一方、１４インチ×１４インチの場合には、アクチュエータ５２が、Ｙ方向で図３中の「○」で、かつ１４インチを示すフォトセンサ６から、図３中の『◎』で、かつ１３インチを示すフォトセンサ６へ移動した場合を、１４インチ×１４インチのパターンと定義すれば、Ｙ方向で１４インチの長さをフォトセンサ６で検出した後に、Ｙ方向で１３インチの長さをフォトセンサ６で検出すれば、１４インチ×１４インチのパターンを検出することができる。
【００３５】
このようにフィルムカセッテ１のサイズをそれぞれ検出して、そのうちの１つを装填した後に、Ｘ線撮影を行う。すなわち、装填後にＸ線をフィルムカセッテ１が検出しながら、装填位置を基点としてフィルムカセッテ１を所望の位置に移動させる。一連の検出および移動によってＸ線撮影を行う。
【００３６】
上述の構成を備えた本実施例に係るＸ線速写撮影装置によれば、位置変換機構５が２方向であるＸ方向およびＹ方向のうち一方の方向であるＸ方向の基準位置を他方の方向であるＹ方向の基準位置に変換する。そして、フォトセンサ６は、上述した位置変換機構５で変換されたＹ方向の基準位置を検出して、装填される各フィルムカセッテ１の大きさ（サイズ）をそれぞれ検出する。これによって、２方向の基準位置を検出するのに他方の方向であるＹ方向のみに統合することができる。
【００３７】
この発明は、上記実施形態に限られることはなく、下記のように変形実施することができる。
【００３８】
（１）上述した実施例では、放射線撮像装置としてＸ線速写撮影装置を例に採るとともに、この発明における放射線検出部としてＸ線を検出するフィルムカセッテを例に採って説明したが、放射線を検出し、大きさが互いに異なる複数の面状の放射線検出部がそれぞれ装填可能に構成され、その１つを装填して放射線を検出して、放射線撮像を行う装置であれば、この発明は適用することができる。したがって、Ｘ線以外の放射線を検出する面状の放射線検出部を備えた放射線撮像装置にも適用することができる。
【００３９】
（２）上述した実施例では、Ｘ方向およびＹ方向について、Ｘ方向をＹ方向に変換したが、変換される方向や、２方向については、フィルムカセッテなどに代表される放射線検出部の面内の２方向であれば特に限定されない。Ｘ方向およびＹ方向について、Ｙ方向をＸ方向に変換してもよいし、従来例のようにＹ方向およびカーブＣ方向について、Ｙ方向をカーブＣ方向あるいはカーブＣ方向をＹ方向に変換してもよいし、Ｘ方向およびカーブＣ方向について、Ｘ方向をカーブＣ方向あるいはカーブＣ方向をＸ方向に変換してもよい。また、上述した実施例の位置変換機構（位置変換手段）のような構造に限定されず、変換される方向に応じて、この発明における位置変換手段の構造を変更することができる。
【００４０】
（３）上述した実施例では、この発明における位置検出手段としてフォトセンサを例に採って説明したが、従来例でも述べた磁気近接スイッチや磁気センサや、メカニカルな接触スイッチで位置検出手段を構成してもよい。
【００４１】
（４）上述した実施例では、基準位置はフィルムカセッテの周縁部であったが、周縁部に限定されない。基準となる位置であれば、中央部分などに例示されるように所定に決められた箇所を基準位置とすればよい。
【００４２】
（５）上述した実施例では、８インチ×１０インチ、１２インチ×１０インチの２つのパターンや、１１インチ×１４インチ、１４インチ×１４インチの２つのパターンについてはＹ方向の長さが同じである場合を例に採って説明したが、３つ以上のパターンについてＹ方向（あるいはＸ方向）の長さが同じ場合にも適用することができる。この場合には、図３中の「○」以外の箇所にフォトセンサを新たに配設すればよい。
【図面の簡単な説明】
【００４３】
【図１】実施例に係るＸ線速写撮影装置の概略平面図である。
【図２】（ａ）はＸ線速写撮影装置に用いられる位置変換機構の概略平面図、（ｂ）は位置変換機構のアクチュエータがフォトセンサを通過するときの概略断面図である。
【図３】各フォトセンサの配設位置を模式的に示した平面図である。
【図４】従来のＸ線速写撮影装置の概略平面図である。
【図５】従来のＸ線速写撮影装置に用いられる磁気近接スイッチ群の配設位置を模式的に示した平面図である。
【符号の説明】
【００４４】
１  …    フィルムカセッテ
５  …    位置変換機構
５１  …    接触子
５２  …    アクチュエータ
６  …    フォトセンサ
【図１】
2006296629.tif 000003
【図２】
2006296629.tif 000004
【図３】
2006296629.tif 000005
【図４】
2006296629.tif 000006
【図５】
2006296629.tif 000007